(57)【要約】【課題】作業者の手間が少なくコスト面に優れた出力電圧の微調整を可能とする。【解決手段】  プリント回路の２つの電位Ｖ１，Ｖ２間に、微調整用抵抗２，５および短絡用ランド１，４を並列接続してなる電圧調整用回路１０，１１と、該電圧調整用回路１０，１１に直列接続された電圧設定用抵抗３，６とを複数備え、各電位Ｖ１，Ｖ２間の電圧に応じて、各電圧調整用回路の短絡用ランド１，４のいずれかまたは全てを短絡するか、または非短絡させて電圧調整するよう構成される。さらに、はんだを用いて短絡用ランド１，４を短絡させるのが好ましい。【選択図】図１
2006331178.tif 000002
【特許請求の範囲】
【請求項１】
微調整用抵抗と一対の短絡用ランドとを並列接続してなる電圧調整用回路と、該電圧調整用回路に直列接続された電圧設定用抵抗とを複数備え、前記各電圧調整用回路の短絡用ランドのいずれかまたは全てを短絡するか、または非短絡させて電圧調整してなることを特徴とするプリント回路。
【請求項２】
前記短絡用ランドを、はんだを用いて短絡させてなることを特徴とする請求項１記載のプリント回路。
【請求項３】
プリント回路上での電圧調整方法において、微調整用抵抗と一対の短絡用ランドとを並列接続してなる電圧調整用回路と、該電圧調整用回路に直列接続された電圧設定用抵抗とを複数備え、前記各電圧調整用回路の短絡用ランドのいずれかまたは全てを短絡するか、または非短絡させて電圧調整することを特徴とする電圧調整方法。
【請求項４】
前記短絡用ランドを、はんだを用いて短絡させることを特徴とする請求項３記載の電圧調整方法。
【発明の詳細な説明】
【技術分野】
【０００１】
本発明は、出力電圧の微調整をすることが可能なプリント回路および電圧調整方法に関する。
【背景技術】
【０００２】
従来より、プリント回路上で電圧を設定するために、プリント回路にボリューム抵抗を備え、このボリューム抵抗で抵抗値を可変して出力電圧の調整を行っている（例えば特許文献１参照）。
図２は、電圧を調整するためのボリューム抵抗を備えたプリント回路を示す回路図である。図２において、電位Ｖ１と電位Ｖ２との間に二つの抵抗２０，２１が直列に接続されている。各抵抗２０，２１の間には、ボリューム抵抗２２が直列に接続されている。
さらに、抵抗２０とボリューム抵抗２２との間に、誤差増幅器２５のプラス側が接続されている。
【０００３】
ここで、入力電源は制限抵抗２３を通じて、パス・トランジスタ２４に供給されるが、誤差増幅器２５により基準電位Ｖｒｅｆと比較され、出力電圧が常に一定になるよう制御される。
このとき、上記のボリューム抵抗２２の抵抗値を可変することによって、基準電位Ｖｒｅｆの誤差、各抵抗２０，２１の誤差を吸収して、各電位Ｖ１，Ｖ２間の電圧を調整、設定している。
【０００４】
しかしながら、作業者がボリューム抵抗２２の抵抗値を微調整する手間がかかり、また、ボリューム抵抗２２は比較的高価であるので生産コストが高いという問題がある。
【特許文献１】特開平６−２１６６７６号公報
【発明の開示】
【発明が解決しようとする課題】
【０００５】
そこで本発明は、前記した問題点に鑑みて、作業者の手間が少なく、コスト面に優れた出力電圧の微調整可能な新規のプリント回路および電圧調整方法を提供するものである。
【課題を解決するための手段】
【０００６】
すなわち、本発明に係るプリント回路は、２つの電位Ｖ１，Ｖ２間に、微調整用抵抗２，５および短絡用ランド１，４を並列接続してなる電圧調整用回路１０，１１と、電圧調整用回路１０，１１に直列接続された電圧設定用抵抗３，６とを複数備え、各電位Ｖ１，Ｖ２間の電圧に応じて、各短絡用ランド１，４のいずれか、または全てを短絡するか、または非短絡させて電圧調整をするよう構成されている。
さらに、電圧設定用抵抗３と同抵抗６との間に誤差増幅器１５のプラス側が接続されている。
ここで、入力電圧は制限抵抗１３を通じて、パス・トランジスタ１４に供給されるが、誤差増幅器１５により基準電位Ｖｒｅｆと比較され、出力電圧が常に一定になるよう制御される。
【０００７】
また、本発明に係る電圧調整方法は、プリント回路における２つの電位Ｖ１，Ｖ２間に、微調整用抵抗２，５および短絡用ランド１，４を並列接続してなる電圧調整用回路１０，１１と、該電圧調整用回路１０，１１に直列接続された電圧設定用抵抗３，６とを複数備え、各電位Ｖ１，Ｖ２間の電圧に応じて、各電圧調整用回路の短絡用ランド１，４のいずれか、または全てを、はんだを用いて短絡するか、または非短絡させて電圧調整する。
【０００８】
上記の短絡用ランドの短絡は、はんだを用いて行うのが好ましい。
【発明の効果】
【０００９】
前記のように、本発明は、プリント回路に、微調整用抵抗と短絡用ランドとを並列に接続してなる電圧調整用回路を備えたものであって、この短絡用ランドを短絡または非短絡させて電圧調整をすることができる。これにより、ボリューム抵抗で抵抗値を調整する手間が不要となり、短絡用ランドを短絡または非短絡することで簡単に電圧調整をすることができる。
さらに、電圧調整用回路はボリューム抵抗に比して非常に低廉であるので、コスト性にも優れている。
【発明を実施するための最良の形態】
【００１０】
以下、添付図面に基づいて、本発明に係るプリント回路および電圧調整方法について詳細に説明する。
【００１１】
図１は、本発明に係るプリント回路を示す回路図である。図１において、Ｖ１，Ｖ２は電位、Ｖｒｅｆは基準電位、１は一対の第一の短絡用ランド、２は第一の微調整用抵抗、３は第一の電圧設定用抵抗、４は一対の第二の短絡用ランド、５は第二の微調整用抵抗、６は第二の電圧設定用抵抗である。また、１３は制限抵抗、１４はパス・トランジスタ、１５は誤差増幅器である。
【００１２】
１０は第一の電圧調整用回路であって、第一の短絡用ランド１と第一の微調整用抵抗２とを並列接続して構成されている。１１は第二の電圧調整用回路であって、第二の短絡用ランド４と第二の微調整用抵抗５とを並列接続して構成されている。
【００１３】
電位Ｖ１と電位Ｖ２との間に、第一の電圧調整用回路１０、第一の電圧設定用抵抗３、第二の電圧設定用抵抗６および第二の電圧調整用回路１１が直列接続されている。第一および第二の電圧設定用抵抗３，６の間に、誤差増幅器１５のプラス側が接続されている。
ここで、入力電圧は制限抵抗１３を通じて、パス・トランジスタ１４に供給されるが、誤差増幅器１５により、基準電位Ｖｒｅｆと比較され、出力電圧が常に一定になるよう制御される。誤差増幅器１５のプラス側出力は、ほぼ基準電位Ｖｒｅｆと等しくなる。
【００１４】
ここで、第一の電圧設定用抵抗３の抵抗値をＲ１、第一の微調整用抵抗２の抵抗値をＲ３、第二の電圧設定用抵抗６の抵抗値をＲ２、第二の微調整用抵抗５の抵抗値をＲ４として、第一および第二の短絡用ランド１，４を短絡させない場合、次式（ｉ）が成立する。
【００１５】
（電位Ｖ１，Ｖ２間の電圧）＝（電位Ｖｒｅｆ，Ｖ２間の電圧）×（Ｒ１＋Ｒ２＋Ｒ３＋Ｒ４）／（Ｒ２＋Ｒ４）      ・・・式（ｉ）
【００１６】
第一の短絡用ランド１を短絡させる場合、Ｒ３＝０となり次式（ｉｉ）が成立する。
【００１７】
（電位Ｖ１，Ｖ２間の電圧）＝（電位Ｖｒｅｆ，Ｖ２間の電圧）×（Ｒ１＋Ｒ２＋Ｒ４）／（Ｒ２＋Ｒ４）            ・・・式（ｉｉ）
【００１８】
また、第二の短絡用ランド４を短絡させる場合、Ｒ４＝０となり次式（ｉｉｉ）が成立する。
【００１９】
（電位Ｖ１，Ｖ２間の電圧）＝（電位Ｖｒｅｆ，Ｖ２間の電圧）×（Ｒ１＋Ｒ２＋Ｒ３）／Ｒ２                      ・・・式（ｉｉｉ）
【００２０】
次に、このプリント回路を用いた電圧調整方法の実施例について説明する。
電位（Ｖｒｅｆ，Ｖ２）間の基準電圧が２．５［Ｖ］±５％、Ｒ１およびＲ２が９３０［Ω］±１％、Ｒ３およびＲ４が７０［Ω］±１％であって、電位Ｖ１，Ｖ２間の電圧が５［Ｖ］±２．５％（５．１２５〜４．８７５［Ｖ］）となるよう設定する場合について説明する。
【００２１】
電位（Ｖ１，Ｖ２）間の電圧の最大値（Ｖｍａｘ）は、式（ｉ）より次の値となる。
（電位Ｖ１，Ｖ２間の電圧最大値）Ｖｍａｘ＝２．５（＋５％）×｛９３０（＋１％）＋９３０（−１％）＋７０（＋１％）＋７０（−１％）｝／｛９３０（−１％）＋７０（−１％）｝＝５．３０３［Ｖ］
【００２２】
よって、第一および第二の短絡用ランド１，４を短絡させない場合、電位Ｖ１，Ｖ２間の電圧の最大値（Ｖｍａｘ）が５．３０３［Ｖ］となるので、所定の電圧範囲５Ｖ±２．５％（５．１２５〜４．８７５［Ｖ］）を超える。
【００２３】
ここで、短絡用ランド１をはんだ等で短絡するとＲ３＝０となり、電位Ｖ１，Ｖ２間の電圧の最大値（Ｖ’ｍａｘ）は、式（ｉｉ）より次の値となる。
（電位Ｖ１，Ｖ２間の電圧最大値）Ｖ’ｍａｘ＝２．５（＋５％）×｛９３０（＋１％）＋９３０（−１％）＋７０（−１％）｝／｛９３０（−１％）＋７０（−１％）｝＝５．１１６［Ｖ］
【００２４】
これにより、電位（Ｖ１，Ｖ２）間の電圧最大値（Ｖ’ｍａｘ）を、５．１２５〜４．８７５［Ｖ］の範囲内とすることができる。
この時、ΔＶ＝Ｖｍａｘ−Ｖ’ｍａｘ＝５．３０３−５．１１６＝０．１８７［Ｖ］の電圧を下げることができる。
【００２５】
従って、例えば、電位（Ｖ１，Ｖ２）間の電圧が、５．１２６［Ｖ］（５Ｖの２．５％の５．１２５Ｖを超える）の場合、短絡用ランド１を短絡することにより、５．１２６−０．１８７＝４．９３９［Ｖ］となり、５．１２５〜４．８７５［Ｖ］の範囲内とすることができる。
【００２６】
次に、電位（Ｖ１，Ｖ２）間の電圧の最小値（Ｖｍｉｎ）について考えると、式（ｉ）より次の値となる。
（電位Ｖ１，Ｖ２間の電圧最小値）Ｖｍｉｎ＝２．５（−５％）×｛９３０（−１％）＋９３０（＋１％）＋７０（−１％）＋７０（＋１％）｝／｛９３０（＋１％）＋７０（＋１％）｝＝４．７０３［Ｖ］
【００２７】
よって、第一および第二の短絡用ランド１，４を短絡させない場合、電位（Ｖ１，Ｖ２）間の電圧の最小値Ｖｍｉｎが４．７０３［Ｖ］となるので、所定の電圧範囲５Ｖ±２．５％（５．１２５〜４．８７５［Ｖ］）を超える。
【００２８】
ここで、短絡用ランド２をはんだ等で短絡するとＲ４＝０となり、電位（Ｖ１，Ｖ２）間の電圧の最小値（Ｖ’ｍｉｎ）は、式（ｉｉｉ）より次の値となる。
（電位Ｖ１，Ｖ２間の電圧最小値）Ｖ’ｍｉｎ＝２．５（−５％）×｛９３０（−１％）＋９３０（＋１％）＋７０（−１％）｝／９３０（＋１％）＝４．８７８［Ｖ］
【００２９】
これにより、電位（Ｖ１，Ｖ２）間の電圧最小値（Ｖ’ｍｉｎ）を、５．１２５〜４．８７５［Ｖ］の範囲内とすることができる。
この時、ΔＶ＝Ｖ’ｍｉｎ−Ｖｍｉｎ＝４．８７８−４．７０３＝０．１７５［Ｖ］の電圧を上げることができる。
【００３０】
従って、例えば、電位（Ｖ１，Ｖ２）間の電圧が、４．８７４［Ｖ］（５Ｖの−２．５％の４．８７５Ｖを下回る）の場合、短絡用ランド２を短絡することにより、４．８７４＋０．１７５＝５．０４９［Ｖ］となり、５．１２５〜４．８７５［Ｖ］の範囲内とすることができる。
【図面の簡単な説明】
【００３１】
【図１】本発明に係るプリント回路を示す回路図である。
【図２】電圧を調整するボリューム抵抗を備えたプリント回路を示す回路図である。
【符号の説明】
【００３２】
１  第一の短絡用ランド
２  第一の微調整用抵抗
３  第一の電圧設定用抵抗
４  第二の短絡用ランド
５  第二の微調整用抵抗
６  第二の電圧設定用抵抗
１０  第一の電圧調整用回路
１１  第二の電圧調整用回路
１３  制限抵抗
１４  パス・トランジスタ
１５  誤差増幅器
２０，２１  微調整用抵抗
２２  ボリューム抵抗
２３  制限抵抗
２４  パス・トランジスタ
２５  誤差増幅器
Ｖ１，Ｖ２  電位
Ｖｒｅｆ  基準電位
【図１】
2006331178.tif 000003
【図２】
2006331178.tif 000004